(57)【特許請求の範囲】
【請求項１】
端縁部に複数個の端子電極を有する長方形の絶縁基板と、前記複数個の端子電極の間に電気回路上に非対称に接続し、前記絶縁基板の少なくとも表面または裏面に形成された１個または複数個の回路素子と、前記絶縁基板の表面を前記端子電極を除いて被覆する黒色系または白色系保護膜と、前記絶縁基板の裏面を端縁部を除いて被覆する白色系または黒色系保護膜と、前記絶縁基板の表面の一方の長辺寄りの保護膜上に、この保護膜の長手方向にわたって設けられた白色系または黒色系捺印とを備え、前記捺印の色を前記絶縁基板の裏面を被覆する保護膜の色と同じ色系とし、かつ前記絶縁基板の表面を被覆する保護膜と異なる色系としたチップ部品。
【請求項２】
端縁部に複数個の端子電極を有する長方形の絶縁基板と、前記複数個の端子電極の間に電気回路上に非対称に接続し、前記絶縁基板の少なくとも表面または裏面に形成された１個または複数個の回路素子と、前記絶縁基板の表面を前記端子電極を除いて被覆する黒色系または白色系保護膜と、前記絶縁基板の裏面を端縁部を除いて被覆する白色系または黒色系保護膜と、前記絶縁基板の表面の一方の長辺寄りの保護膜上に、この保護膜の長手方向にわたって設けられた白色系または黒色系捺印とを備え、前記捺印の色を前記絶縁基板の裏面を被覆する保護膜の色と同じ色系とし、かつ前記絶縁基板の表面を被覆する保護膜と異なる色系としたチップ部品を形成する工程と、前記チップ部品の長短辺方向を判別する工程と、前記絶縁基板の表面を被覆する保護膜と同じ色系のみ、あるいは前記絶縁基板の裏面を被覆する保護膜の色と前記捺印の色と同じ色系のみを良品と判別できるように設定することにより、前記チップ部品の回路素子の回路方向判別と表裏方向判別を同時に行う工程とを備えたチップ部品の回路方向判別方法。
【発明の詳細な説明】
【０００１】
【産業上の利用分野】
本発明は、電気回路的に非対称なチップ部品およびその回路判定方法に関する。
【０００２】
【従来の技術】
近年、電子機器の軽薄短小化に伴う回路基板面積の削減のため、チップ抵抗器、チップコンデンサ等のチップ部品の小型化が要望されるとともに、抵抗やコンデンサ等を１チップ内に複数個形成した複合チップ部品の需要も高まりつつある。従来、抵抗やコンデンサ等を複数個形成した複合チップ部品は電気回路的に対称なものであった。以下に従来の複合チップ部品について説明する。
【０００３】
図４（ａ），（ｂ），（ｃ）は、それぞれ従来の４個の膜抵抗を独立形成した複合チップ部品の表面図、裏面図、等価回路図を示すものである。図４において、１１はアルミナ等からなる長方形絶縁基板で、一つの端縁に４個、その対向端縁に４個、計８個の凹部が設けられている。１２ａ，１２ｂ，１２ｃ，１２ｄ，１２ｅ，１２ｆ，１２ｇ，１２ｈは端子電極で、絶縁基板１１の凹部から基板表裏面にかけて形成されている。図には示していないが絶縁基板１１の表面の端子電極１２ａ−１２ｈ間、１２ｂ−１２ｇ間、１２ｃ−１２ｆ間、および１２ｄ−１２ｅ間には同じ抵抗値の膜抵抗が形成されている。
【０００４】
１３は黒色系保護膜で、基板表面を、端子電極１２ａ，１２ｂ，１２ｃ，１２ｄ，１２ｅ，１２ｆ，１２ｇ，１２ｈの基板端縁部を除くように被覆している。この長方形チップ部品を完成検査及びテーピングする場合、チップ部品を選別するパーツフィーダーの出口付近に部品の短辺幅より広く、長辺幅より狭い幅を有するガイドを設け、まず部品が長辺方向に進行するように、図５に示すようにガイド１３を設け、このガイド１３によってチップ部品の並び方向を揃える。
【０００５】
次に、光電センサーをガイド１３の部品進行方向の中央部に設け、部品中央部の光反射率の低いものが通過するように条件設定して黒色系保護膜が表になるように揃えるようにすれば、図５に示すように、第１チップのガイドで長辺方向を揃え、第２ステップの光電センサーで黒色系保護膜を施した面が表になるように揃えて完成検査及びテーピング部に供給することができる。
【０００６】
【発明が解決しようとする課題】
しかしながら、上記のように構成されたチップ部品では、２つの長辺のいずれか一方を識別することはできないため、４個の膜抵抗の抵抗値が異なるもの、あるいは４個の内の幾つかが膜コンデンサ等の異なる膜回路素子であるもののように、非対称な電気回路を形成した場合、回路方向まで識別したチップ部品の供給ができず、良品判定は、判定スピードの遅い回路定数による良否判定に頼らざるを得なかった。
【０００７】
また、図６のように部品の一部分に色調の異なるマークをつけて、回路判定を行なう方法も実施されているが、回路定数良否判定セクションと同様の判定セクションを別に設けてスピードを落して判定を行なうのが一般的で、パーツフィーダー内の供給スピードと同等の判定スピードを実現することは困難である。
【０００８】
本発明は上記従来の問題点を解決するもので、非対称的な電気回路を形成したチップ部品の回路方向を、供給スピードの速いパーツフィーダー内で精度良く一方向に揃えることを目的とする。
【０００９】
【課題を解決するための手段】
上記目的を達成するために本発明のチップ部品は、端縁部に複数個の端子電極を有する長方形の絶縁基板と、前記複数個の端子電極の間に電気回路図上非対称に接続し、前記絶縁基板の少なくとも表面または裏面に形成された１個または複数個の回路素子と、前記絶縁基板の表面を端縁部を除いて被覆する黒色系または白色系保護膜と、前記絶縁基板の裏面を端縁部を除いて被覆する白色系または黒色系保護膜と、前記絶縁基板の一方の長辺寄りの前記黒色系または白色系保護膜上に局所的に設けた長辺の２／３以上の長さの白色系または黒色系捺印とを備えたものである。
【００１０】
【作用】
この構成によって、まず、部品短辺幅より広く、長辺幅より狭いガイドにより長辺方向に揃え、次に、ガイドの一端寄りに光電センサーを設け、光反射率の低いものを通過するように設定すれば、チップ部品表面の白色系捺印を施していない方の長辺が、センサーが極在しているガイド側に来た場合のみ通過でき、すなわち長方形チップ部品の特定の辺を同一方向に揃えることができ、電気回路的非対称な長方形チップ部品の回路方向を簡便に揃えて、完成検査及びテーピング部に供給することができる。また、チップ部品の回路方向判別と表裏方向判別を同時に行うこともできる。さらに、白色系捺印の長さは長辺の２／３以上の長さがあればパーツフィーダーの供給スピードと同じ判定スピードでも誤判定をなくせ、高速かつ高精度な回路判定ができる。
【００１１】
【実施例】
以下、本発明のチップ部品について、図面を参照しながら説明する。
【００１２】
図１（ａ），（ｂ），（ｃ）は、それぞれ、本発明の一実施例におけるチップ部品の表面図、裏面図、等価回路図を示すものである。
【００１３】
図１において、１はアルミナ等の長方形絶縁基板で一つの長辺端縁部に４個の凹部を、その対向端縁部に４個の凹部をそれぞれ有している。この８つの各凹部から絶縁基板の表裏面にかけて、端子電極２ａ，２ｂ，２ｃ，２ｄ，２ｅ，２ｆ，２ｇ，２ｈが設けられている。３は基板表面の端子電極２ａ−２ｈ間に形成された膜誘電体、４ａ，４ｂ，４ｃ，４ｄは、それぞれ基板裏面の端子電極２ａ−２ｈ間、２ｂ−２ｇ間、２ｃ−２ｆ間、２ｄ−２ｅ間に形成された膜抵抗体を回路上で示したものである。
【００１４】
５はチップ部品表面の黒色系保護膜、６は黒色系保護膜５上の一方の長辺寄りに局所的に設けられた白色系捺印、７は裏面の白色系保護膜である。
【００１５】
以上のように構成されたチップ部品では、図２に示すように、まず、部品短辺幅より広く、長辺幅より狭いガイド８を設けることにより長辺方向に進行するように方向を揃え、次に、チップ部品の一方の長辺寄りの部品の光反射率を測定するように、光電センサーをガイド８の一端寄りに設置し、光反射率の低い方を良品として通過させるように条件設定すれば、表面黒色系保護膜上の白色系捺印が施されていない方の長辺すなわち、黒色系保護膜が露出している部分が、光電センサーが局在している側のガイドに来た場合のみ良品と判定されることになり、端子電極２ａが存在するチップ部品の長辺側が常に同じ位置にあるように方向を揃えることができる。
【００１６】
即ち、パーツフィーダーの供給スピードと同じ高速の判定スピードで、電気回路的非対称な長方形チップ部品においても、回路方向を揃えて、完成検査及びテーピング部に供給することができる。
【００１７】
色調を判断する光電センサーは現時点ではφ０．４ｍｍが最小検出エリアであるので白色系捺印の大きさは部品供給ガイドの幅の寸法余裕を考慮して０．５ｍｍ以上の幅で、誤認識なく高速な判定を実現するために長辺は０．５ｍｍ以上かつ２／３以上の長さであることが必要となる。
【００１８】
以下に、（表１）により判定率を示している。
【００１９】
【表１】
0003555256.tif 000002
【００２０】
（表１）より明らかなように、捺印を一部に施したものより本発明品の判定率が優れている。
【００２１】
なお、表面保護膜を白色系、捺印を黒色系、裏面保護膜を黒色系と色調を逆にした場合でも、光電センサーの判定基準を逆にすれば本実施例と同様の効果が得られる。また、基板片面のみで非対称回路構成し保護膜で被覆する場合は、基板が白色系であれば黒色系保護膜と白色系捺印を、基板が黒色系であれば白色系保護膜と黒色系捺印を組合わせれば本実施例と同様の効果が得られる。
【００２２】
実施例では長方形チップ部品の一組の対向端縁のみに端子電極が設けられたものを例に上げているが、図３に示すように４辺すべてに端子電極を設けた長方形チップ部品にでも同じ効果が得られる。また、黒色系、白色系にかかわらず、光反射率がちがう色の組み合わせを用いることによっても同様の判定が行える。
【００２３】
【発明の効果】
以上のように本発明によれば、基板端縁部に複数の端子電極を有し、非対称的な電気回路を形成した長方形チップ部品の各端子電極の位置を、光学的な方法のみで同じ側にし、回路方向を一方向に揃えることができる。
また、チップ部品の回路方向判別と表裏方向判別を同時に行うこともできる。
【図面の簡単な説明】
【図１】（ａ）本発明の一実施例におけるチップ部品の表面図
（ｂ）同裏面図
（ｃ）同等価回路図
【図２】同チップ部品の回路方向を揃える方法の一例を示す説明図
【図３】同実施例における他のチップ部品の表面図
【図４】（ａ）従来のチップ部品の表面図
（ｂ）同裏面図
（ｃ）同等価回路図
【図５】同チップ部品の回路方向を揃える方法の一例を示す説明図
【図６】従来の抵抗器の下面図
【符号の説明】
１  絶縁基板
２ａ，２ｂ，２ｃ，２ｄ，２ｅ，２ｆ，２ｇ，２ｈ  端子電極
３  膜誘電体
４ａ，４ｂ，４ｃ，４ｄ  膜抵抗体
５  チップ表面黒色系保護膜
６  白色系捺印
７  チップ裏面白色系保護膜
【図１】
0003555256.tif 000003
【図２】
0003555256.tif 000004
【図３】
0003555256.tif 000005
【図４】
0003555256.tif 000006
【図５】
0003555256.tif 000007
【図６】
0003555256.tif 000008